(57)【要約】【課題】系統運用指標の改善と操作コスト低減を両立する。【解決手段】電力系統の状態を計測する計測機器から取得した計測値を用いて、前記電力系統の電力潮流を制御する系統制御装置であって、前記電力系統を構成する少なくとも一つの電気機器に適用される設定状態と、当該設定状態が適用される期間の指定とを含む固定窓データを生成する固定窓生成部と、前記固定窓データで指定された期間において、第１の電気機器には前記設定状態を適用し、他の第２の電気機器の動作状態を制御することによって、前記電力系統の電力潮流を制御する実行部と、を備え、前記固定窓生成部は、予め指定された電力総需要の変動幅で定められる期間で前記固定窓データで指定される期間を定める。【選択図】図１
2020025415.tif 000002
【特許請求の範囲】
【請求項１】
電力系統の状態を計測する計測機器から取得した計測値を用いて、前記電力系統の電力潮流を制御する系統制御装置であって、
前記電力系統を構成する少なくとも一つの電気機器に適用される設定状態と、当該設定状態が適用される期間の指定とを含む固定窓データを生成する固定窓生成部と、
前記固定窓データで指定された期間において、第１の電気機器には前記設定状態を適用し、他の第２の電気機器の動作状態を制御することによって、前記電力系統の電力潮流を制御する実行部と、を備え、
前記固定窓生成部は、予め指定された電力総需要の変動幅で定められる期間で前記固定窓データで指定される期間を定めることを特徴とする系統制御装置。
【請求項２】
請求項１に記載の系統制御装置であって、
前記電力系統の最適状態を演算する最適演算部を備え、
前記固定窓生成部は、前記固定窓データを生成するタイミングで、前記電力系統の最適状態を実現する前記第１の電気機器の設定状態を前記最適演算部から取得し、
前記実行部は、前記固定窓データを用いた制御中において、前記電力系統の最適状態を実現する前記第２の電気機器の設定状態を前記最適演算部から取得することを特徴とする系統制御装置。
【請求項３】
請求項１に記載の系統制御装置であって、
前記固定窓データで指定された期間における前記電気機器の各々の制御可否に関する情報を含む固定窓生成条件データを保持し、
前記固定窓生成部は、前記固定窓生成条件データから前記固定窓データを生成することを特徴とする系統制御装置。
【請求項４】
請求項１に記載の系統制御装置であって、
前記固定窓生成部は、前記固定窓データで指定された期間の開始前に前記固定窓データを生成することを特徴とする系統制御装置。
【請求項５】
請求項１に記載の系統制御装置であって、
前記電力系統の最適状態を演算する最適演算部を備え、
前記固定窓生成部は、最新の電力系統の状態の計測結果を用いて演算された、前記第１の電気機器の設定状態を前記最適演算部から取得し、
前記実行部は、最新の電力系統の状態の計測結果を用いて演算された、前記第２の電気機器の設定状態を前記最適演算部から取得することを特徴とする系統制御装置。
【請求項６】
電力系統の状態を計測する計測機器から取得した計測値を用いて前記電力系統の電力潮流を制御する系統制御装置が実行する系統制御方法であって、
前記系統制御装置は、所定の処理を実行する演算装置と、前記演算装置に接続された記憶装置とを有し、
前記方法は、
前記演算装置が、前記電力系統を構成する少なくとも一つの電気機器に適用される設定状態と、当該設定状態が適用される期間の指定とを含む固定窓データを生成する固定窓生成ステップと、
前記演算装置が、前記固定窓データで指定された期間において、第１の電気機器には前記設定状態を適用し、他の第２の電気機器の動作状態を制御することによって、前記電力系統の電力潮流を制御する実行ステップとを含み、
前記固定窓生成ステップでは、前記演算装置が、予め指定された電力総需要の変動幅で定められる期間で前記固定窓データで指定される期間を定めることを特徴とする系統制御方法。
【請求項７】
請求項６に記載の系統制御方法であって、
前記固定窓生成ステップでは、前記演算装置が、前記固定窓データを生成するタイミングで、前記電力系統の最適状態を実現する前記第１の電気機器の設定状態を取得し、
前記実行ステップでは、前記演算装置が、前記固定窓データを用いた制御中において、前記電力系統の最適状態を実現する前記第２の電気機器の設定状態を取得することを特徴とする系統制御方法。
【請求項８】
請求項６に記載の系統制御方法であって、
前記系統制御装置は、前記固定窓データで指定された期間における前記電気機器の各々の制御可否に関する情報を含む固定窓生成条件データを保持し、
前記固定窓生成ステップでは、前記演算装置が、前記固定窓生成条件データから前記固定窓データを生成することを特徴とする系統制御方法。
【請求項９】
請求項６に記載の系統制御方法であって、
前記固定窓生成ステップでは、前記演算装置が、前記固定窓データで指定された期間の開始前に前記固定窓データを生成することを特徴とする系統制御方法。
【請求項１０】
請求項６に記載の系統制御方法であって、
前記固定窓生成ステップでは、前記演算装置が、最新の電力系統の状態の計測結果を用いて演算された、前記第１の電気機器の設定状態を取得し、
前記実行ステップでは、前記演算装置が、最新の電力系統の状態の計測結果を用いて演算された、前記第２の電気機器の設定状態を取得することを特徴とする系統制御方法。
【発明の詳細な説明】
【技術分野】
【０００１】
本発明は、電力系統を制御するための系統制御装置に関する。
【背景技術】
【０００２】
従来、発電設備、送電設備、変電設備、配電設備、需要家設備などの電力の生産から消費までの設備を含む電力系統において高品質な電力供給を維持するために、電力系統制御システムがある。電力系統の運用者は、電力系統制御システムを利用して、電力系統における特定の計測点の電圧、周波数、電力などの計測結果を用いて、変動する需要家の電力消費に対して、電圧、周波数、潮流などが定められた適正値になるように、系統設備を監視し、各設備を制御する。さらに近年、最適潮流計算などの最適化計算によって、満足度の高い制御値を決定する試みが提案されている。
【０００３】
この分野の先行技術として特開２０１６−１１１７８０号公報（特許文献１）がある。特許文献１には、電力系統が有する操作対象設備に対する操作量を算出する操作量算出装置であって、前記操作対象設備に対する操作に伴うコストを算出するための第１算出式、前記電力系統における電圧が不安定になる時の電力需要である安定限界電力までの電力増加量である負荷余裕を算出するための第２算出式、及び前記操作対象設備の運転時の制約条件を取得する取得部と、前記制約条件を満たしつつ、かつ、前記第１算出式及び前記第２算出式から算出される所定の指標値が所定値になるように、前記操作対象設備に対する操作量を算出する操作量算出部と、を備えることを特徴とする操作量算出装置が開示されている。
【先行技術文献】
【特許文献】
【０００４】
【特許文献１】特開２０１６−１１１７８０号公報
【非特許文献】
【０００５】
【非特許文献１】関根泰次、外６名，「電力系統の最適潮流計算≪OPF；Optimal Power Flow≫」，一般社団法人日本電気協会，平成１４年３月
【発明の概要】
【発明が解決しようとする課題】
【０００６】
しかしながら、特許文献１に記載の技術では、操作の無駄が発生し、操作コストが大きくなるという問題がある。電力系統の制御では、需要などの変化に応じて計算された操作量に従って制御を繰り返す必要があるが、ある操作時間での操作を、次の操作時間では取り消すなど、無駄な操作となり、操作回数が増加する。操作対象の設備の中には、変圧器のタップ切替器や調相設備などの操作回数に応じて保守費用が増加する機器があり、このような機器では操作回数の増加が、保守費用の上昇につながり、操作コストが増加する。
【０００７】
本発明は以上の点を考慮してなされたもので、最適潮流計算に従って電力系統を操作する場合でも、無駄な操作を抑制し、操作コストを低減できる電力系統制御装置を提案するものである。
【課題を解決するための手段】
【０００８】
本願において開示される発明の代表的な一例を示せば以下の通りである。すなわち、電力系統の状態を計測する計測機器から取得した計測値を用いて、前記電力系統の電力潮流を制御する系統制御装置であって、前記電力系統を構成する少なくとも一つの電気機器に適用される設定状態と、当該設定状態が適用される期間の指定とを含む固定窓データを生成する固定窓生成部と、前記固定窓データで指定された期間において、第１の電気機器には前記設定状態を適用し、他の第２の電気機器の動作状態を制御することによって、前記電力系統の電力潮流を制御する実行部と、を備え、前記固定窓生成部は、予め指定された電力総需要の変動幅で定められる期間で前記固定窓データで指定される期間を定めることを特徴とする。
【発明の効果】
【０００９】
本発明の一態様によれば、系統運用指標の改善と操作コストの低減を両立できる。前述した以外の課題、構成及び効果は、以下の実施例の説明によって明らかにされる。
【図面の簡単な説明】
【００１０】
【図１】実施例１の系統制御システムの全体を示す図である。
【図２】実施例１の環境状態データの一例を示す図である。
【図３】実施例１の機器設定データ一例を示す図である。
【図４】実施例１の機器状態データの一例を示す図である。
【図５】実施例１の系統構成データの一例を示す図である。
【図６】実施例１の電力予測データの一例を示す図である。
【図７】実施例１の最適な電力系統状態へ制御する処理のフローチャートの例である。
【図８】実施例１の固定窓データを生成する処理のフローチャートの例である。
【図９】実施例１の固定窓生成条件データの一例を示す図である。
【図１０】実施例１の総電力需要の変動と時間窓との関係を示す図である。
【図１１】実施例１の固定窓データの一例を示す図である。
【図１２】実施例１の系統制御データの一例を示す図である。
【図１３】実施例１の固定窓生成条件表示画面の例を示す図である。
【図１４】実施例１の固定窓データ表示画面の例を示す図である。
【発明を実施するための形態】
【００１１】
以下図面について、本発明の一実施の形態を詳述する。
【００１２】
＜実施例１＞
（系統制御システムの構成）
図１は、実施例１の系統制御システム１の全体を示す図である。
【００１３】
系統制御システム１は、系統制御装置２及び電力系統３を有し、系統制御装置２と電力系統３とは通信ネットワーク４を介して通信可能に接続される。また、電力情報サーバ８とは第二通信ネットワーク７を介して通信可能に接続される。通信ネットワーク４と第二通信ネットワークは同一でもよい。
【００１４】
系統制御装置２は、ＣＰＵ（Ｃｅｎｔｒａｌ  Ｐｒｏｃｅｓｓｉｎｇ  Ｕｎｉｔ）やマイクロプロセッサ等のコントローラと、メモリやハードディスクドライブやＳＳＤ（Ｓｏｌｉｄ  Ｓｔａｔｅ  Ｄｒｉｖｅ）等の記憶装置と、通信装置とを有した回路やプリント基板やサーバや情報処理装置などで構成される。なお、コントローラがプログラムを実行して行う処理の全部又は一部をハードウェア（例えば、ＦＰＧＡ）で行ってもよい。系統制御装置２は、各種の制御を行う制御部１０と、各種の情報を記録（記憶）する記録部２０と、所定の条件下で最適解を演算する最適演算部３０と、通信ネットワーク４を介して各種の機器と通信する通信部４０と、各種の情報が入力される入力部５０と、各種の情報を出力する出力部６０と、第二通信ネットワーク７を介して電力情報サーバ８と接続される第二通信部７０とを有する。
【００１５】
制御部１０及び最適演算部３０は、記憶装置に記憶された各種のプログラムに従ってコントローラが処理を行うソフトウェアによって実現されてもよいし、論理回路等のハードウェアによって実現されてもよい。また、制御部１０及び最適演算部３０の機能は、単一の装置で実現されるものに限られず、相互に通信可能に接続された複数の装置により実現されてもよい。
【００１６】
記録部２０は、記憶装置によって構成される。通信部４０は、通信装置によって構成される。入力部５０は、キーボード、マウス等のポインティングデバイス、タッチパネル、音声指示装置などの入力デバイスを少なくとも一つを含んで構成される。出力部６０は、ディスプレイ装置、プリンタ、音声出力装置などの出力デバイスを少なくとも一つを含んで構成される。
【００１７】
コントローラが実行するプログラムは、リムーバブルメディア（ＣＤ−ＲＯＭ、フラッシュメモリなど）又はネットワークを介して系統制御装置２に提供され、非一時的記憶媒体である不揮発性の記憶装置に格納される。このため、系統制御装置２は、リムーバブルメディアからデータを読み込むインターフェースを有するとよい。
【００１８】
系統制御装置２は、物理的に一つの計算機上で、又は、論理的又は物理的に構成された複数の計算機上で構成される計算機システムであり、複数の物理的計算機資源上に構築された仮想計算機上で動作してもよい。
【００１９】
系統制御装置２は、通信部４０に接続された通信ネットワーク４を介して、電力系統３の計測機器５から電力系統３の計測データを取得できる。また、系統制御装置２は、電力系統３の電気機器６に制御指令を送信することによって、電気機器６の動作状態を制御できる。
【００２０】
電力系統３は、発電装置によって発電する発電設備（例えば発電所）と、発電設備が発生した電力を消費する需要家設備と、発電設備から需要家設備まで電力を送る電力流通設備（送電設備、変電設備、配電設備等）と、これらの設備の状態を計測する計測機器５とを含む。
【００２１】
発電装置は、火力発電、水力発電、原子力発電、地熱発電、太陽光発電、風力発電などを行う装置であるが、他の方法で発電する装置でもよい。電力流通設備は、架空送電線、地中送電線、変圧器、遮断器、調相設備などを含むが、他にも送配電に関わる様々な設備を含んでもよい。
【００２２】
計測機器５は、電力系統３の特定の測定箇所における状態を計測する複数の計測装置を示す。計測機器５による計測項目は、電力系統３の電圧、位相、電力などの電力項目と、気温、風速、風向、降水量、日射量などの気象項目と、電気機器６の設定状態及び動作状態の項目と、電力流通設備や発電装置などの電力潮流状態を変化させる機器の動作状態の項目とを含み、他にも様々な項目が計測項目となり得る。測定箇所は、発電設備の母線、変電設備の母線、電力流通設備、需要家設備などを含み、一つの測定箇所に対する計測装置は単数でも複数でもよい。計測機器５は、計測値を通信ネットワーク４を介して、系統制御装置２に送信する。このとき、計測機器５は、計測日時などのメタ情報を計測値と共に送信してもよい。
【００２３】
電気機器６は、電力系統３を構成する機器のうち、発電装置、変圧器、遮断器、調相設備などの電力系統３の電力潮流状態を変更するための装置であるが、他の装置を含んでもよい。また、電気機器６は、系統制御装置２が通信ネットワーク４を介して送信した制御指令を受信すると、制御指令に応じて動作状態を変更できる。
【００２４】
電力情報サーバ８は、将来の電力情報を提供するサーバである。将来の電力情報には、系統の総需要が含まれる。また、発電機の発電量や、その他電力系統の将来の状態を示すデータが含まれていてもよい。
【００２５】
なお、系統制御装置２は、電力情報サーバ８から電力予測データを取得するが、電力予測データの全部又は一部を系統制御装置２自身が生成してもよい。
【００２６】
（系統制御システムにおける制御）
系統制御装置２の制御部１０は、系統状態取得部１０１、系統制御生成部１０２、固定窓データ生成部１０３及び実行部１０４を有する。
【００２７】
系統状態取得部１０１は、所定のタイミング（例えば、２秒間隔）で、又は制御部１０からの指示時（例えば、ユーザが所望する時刻）に、計測機器５が送信した各種データを通信部４０を介して取得し、記録部２０の系統状態データ２０１として計測日時と共に記録する。
【００２８】
図１に示すように、系統状態データ２０１には、環境状態データ２１１、機器設定データ２１２、及び機器状態データ２１３が含まれる。
【００２９】
図２は、環境状態データ２１１の一例を示す図である。環境状態データ２１１は、電力系統３の特定の箇所において測定されたデータである。
【００３０】
環境状態データ２１１は、負荷（電力系統３において電気を消費する機器）に流れる有効電力、無効電力、発電装置が発電する有効電力、電圧などの情報を含む。図示した例では、環境状態データ２１１は、通し番号Ｄ１０１、計測日時Ｄ１０２、有効電力Ｄ１０３、及び無効電力Ｄ１０４の情報を含み、特定の測定箇所の値（測定値）を時系列で格納する。なお、計測日時Ｄ１０２、有効電力Ｄ１０３、及び無効電力Ｄ１０４は、測定される項目の一例であり、測定対象の機器によっては、図示と異なる項目を含んでもよい。
【００３１】
図３は、電力系統３に接続された電気機器６の機器設定データ２１２の一例を示す図である。
【００３２】
機器設定データ２１２は、電気機器６の設定状態の情報を含む。図示した例では、機器設定データ２１２は、通し番号Ｄ２０１、計測日時Ｄ２０２、調相設備１Ａの投入量Ｄ２０３、調相設備１Ｂの投入量Ｄ２０４、変圧器２Ａのタップ位置Ｄ２０５、及び変圧器２Ｂのタップ位置Ｄ２０６の情報を含み、電気機器６の設定を示す情報（設定値）を時系列で格納する。なお、調相設備１Ａの投入量Ｄ２０３、調相設備１Ｂの投入量Ｄ２０４、変圧器２Ａのタップ位置Ｄ２０５、及び変圧器２Ｂのタップ位置Ｄ２０６は、電気機器６の設定に係る項目であり、計測機器５から取得可能な項目の組合せを適宜に採用できる。
【００３３】
図４は、電力系統３に接続された電気機器６の機器状態データ２１３の一例を示す図である。
【００３４】
機器状態データ２１３は、電気機器６、電力流通設備、発電装置等の電力潮流状態を変化させる機器の動作状態を示す情報（動作状態情報）を含む。図示した例では、機器状態データ２１３は、通し番号Ｄ３０１、計測日時Ｄ３０２、調相設備１Ａの動作状態Ｄ３０３、調相設備１Ｂの動作状態Ｄ３０４、変圧器２Ａの動作状態Ｄ３０５、及び変圧器２Ｂの動作状態Ｄ３０６の情報を含み、電気機器６の動作状態情報を時系列で格納する。調相設備１Ａの動作状態Ｄ３０３、調相設備１Ｂの動作状態Ｄ３０４、変圧器２Ａの動作状態Ｄ３０５、及び変圧器２Ｂの動作状態Ｄ３０６には、遮断器、開閉器などの開閉装置の開閉状態、送電線の送電ステータス等の項目が含まれてもよい。また、機器状態データ２１３は、電力流通設備、発電装置等の電力潮流状態を変化させる機器の動作状態の項目、計測機器５から取得したその他の機器の動作状態の項目を含んでもよい。
【００３５】
図５は、電力系統３における送電線の系統構成データ２０２の一例を示す図である。
【００３６】
系統構成データ２０２は、記録部２０に予め記録され、電力系統３の構成に関わる情報が含まれる。図示した例では、系統構成データ２０２は、通し番号Ｄ４０１、名称Ｄ４０２、定格電圧Ｄ４０３、基準容量Ｄ４０４、線路長Ｄ４０５、抵抗Ｄ４０６、及びリアクタンスＤ４０７の情報を含み、送電線ごとに格納する。系統構成データ２０２には、電力系統３の解析に必要な情報のうち、電力系統３を構成する機器の項目（パラメータ項目）、機器の相互の電気的な接続形態などの短時間では変化しない項目等の情報が含まれる。図５は、送電線の系統構成データを図示しているが、他の機器については異なる項目を含んでもよい。
【００３７】
図６は、電力情報サーバ８が提供する電力予測データ２０６の一例を示す図である。
【００３８】
電力予測データ２０６は、将来の総需要予測などの将来の電力系統の状態を示す情報を含む。図示した例では、電力予測データ２０６は、通し番号Ｄ８０１、日時Ｄ８０２、総需要（有効電力）Ｄ８０３の情報を含み、系統の総需要を時系列で格納する。
【００３９】
図７は、本実施例での制御部１０が最適な電力系統状態へ制御する処理のフローチャートの例である。図７に示す最適電力系統状態制御処理は、入力部５０を介した指示又は事前の設定によって最適な電力系統状態の演算及び適用の指示を受けると、制御部１０が実行する。例えば、５分間隔など、固定窓の時間幅より短い時間間隔で繰り返し実行するとよい。
【００４０】
まず、制御部１０は、現在日時で有効な固定窓データ２０３が存在するかを判定する（Ｓ１０１）。その結果、有効な固定窓データ２０３が存在しなければ（Ｓ１０１でＮ）、固定窓データ生成部１０３が固定窓データを生成する（Ｓ１０２）。一方、有効な固定窓データが存在すれば（Ｓ１０１でＹ）、系統制御生成部１０２が該固定窓データを取得する（Ｓ１０３）。
【００４１】
次に、制御部１０は、固定窓データ２０３を最適演算部３０へ提供し、該固定窓データに基づいて演算された最適な電力系統状態を達成するための系統制御データを取得する（Ｓ１０４）。
【００４２】
最適演算部３０は、電力損失低減、電圧安定性向上などの所定の目的に最適な電力系統３の状態を演算する。例えば、最適演算部３０は、電力損失低減を表わす目的関数を与え、電力系統３の潮流方程式の制約条件や電圧範囲や機器制御可否など、他の等式制約条件及び不等式制約条件を満足する変数の組み合わせの中から、当該目的関数を最小又は最大とする変数の組み合わせを算出する。変数としては、各母線の電圧、調相設備の投入量、変圧器のタップ位置などが使用される。また、最適演算部３０は、公知の最適潮流計算技術を用いて変数の組み合わせを算出してもよい（例えば、非特許文献１「電力系統の最適潮流計算」参照）。ただし、本実施例における変数の組み合わせの算出方法は、前述した文献に記載された方法に限定されず、所望の目的に対して、最適な電力系統３の状態を演算する方法であれば、他の方法を用いてもよい。
【００４３】
特にステップＳ１０４では、最適演算部３０は、固定窓データ生成部１０３によって作成された固定窓データ２０３の固定窓内で操作量を固定する設備を設定変更の対象とせずに、当該固定窓データで定められる操作量で固定するという条件の下で、電力系統３の最適な状態を達成するための系統制御データを生成する。最適演算部３０は、系統制御データを生成する際、最新の系統状態データ２０１や系統構成データ２０２を参照してもよい。系統制御生成部１０２は、最適演算部３０が生成した系統制御データを取得し、系統制御データ２０４として記録部２０へ格納する。
【００４４】
さらに、実行部１０４は、ステップＳ１０４にて取得した系統制御データに記載された設定値を実現する制御指令を生成し、電力系統３中の制御の対象となる電気機器６に送信する（Ｓ１０５）。
【００４５】
また、制御部１０は、指定された将来の時刻における最適な電力系統状態の演算及び適用の指示を受けてもよい。将来の時刻を指定された場合には、最適演算部３０へ提供される系統状態データ２０１は、例えば電力予測データ２０６に含まれる将来の電力系統の状態を示す情報などを利用して生成された将来の電力系統のデータとなり、実行部１０４は、指定された時刻の系統制御データに記載された設定値を実現する制御指令を生成し、電力系統３中の制御対象となる電気機器６に送信する。
【００４６】
図８は、固定窓データ生成部１０３が固定窓データを生成する処理のフローチャートの例である。
【００４７】
固定窓データ生成部１０３は、制御部１０からの要求によって固定窓データの生成を指示された場合、現在日時の固定窓生成条件データ２０５を取得する（Ｓ２０１）。次に、現在の系統状態に基づき演算された最適な電力系統状態を達成するための系統制御データを、最適演算部３０から取得する（Ｓ２０２）。ステップＳ２０２では、最適演算部３０は、ステップＳ１０３で取得した固定窓データ２０３を適用して固定窓データを生成するステップＳ１０４と異なり、固定窓データ２０３に基づいて操作量を固定する設備は無いという条件の下で、電力系統３の最適な状態を達成するための系統制御データを計算する。最適演算部３０は、固定窓データ生成用の系統制御データを生成する際、最新の系統状態データ２０１や系統構成データ２０２を参照してもよい。
【００４８】
続いて、固定窓生成条件データで設定の固定対象である機器のデータを、取得した系統制御データから抜き出し、抽出された機器のデータを固定窓データ２０３として登録する（Ｓ２０３）。
【００４９】
本実施例では、最適演算部３０は、ステップＳ１０４とステップＳ１０２（ステップＳ２０２）の２箇所で動作する。ステップＳ１０４では、最適演算部３０は、固定窓データ２０３で定められる設備の操作量で固定するという条件の下で、電力系統３の最適な状態を達成するための系統制御データを生成する。一方、ステップＳ２０２では、最適演算部３０は、操作量を固定する設備は無いという条件の下で、電力系統３の最適な状態を達成するための系統制御データを計算する。
【００５０】
すなわち、操作コストが低い電気設備の最適化で系統運用指標が十分に改善する期間を固定窓として設定し、該固定窓では操作コストが高い設備の操作量を固定した条件で、電力系統３の最適化する演算結果によって、電力系統３を制御する。
【００５１】
このため、最適演算部３０は、固定窓のタイミングに合わせて固定窓データを生成するが（Ｓ１０２）、運用中の系統制御データは固定窓の時間幅より短い所定のタイミングで生成する（Ｓ１０４）。つまり、固定窓データ２０３で操作量が固定される機器は長い時間間隔で操作量が変更され、固定窓データ２０３で操作量が固定されない機器は短い時間間隔で操作量が変更されるように制御される。
【００５２】
図９は、本実施例における固定窓生成条件データ２０５の一例を示す図である。
【００５３】
固定窓生成条件データ２０５は、データを識別可能な識別情報Ｄ５０１、固定窓の開始時刻Ｄ５０２、固定窓の終了時刻Ｄ５０３、及び当該固定窓の期間内で設備の操作可否（操作せずに固定するか）Ｄ５０４〜Ｄ５０７の情報を含む。操作可否Ｄ５０４〜Ｄ５０７は、電気機器６の操作可否の条件であり、調相設備、発電機以外の機器（遮断器、開閉器など、）について記載してもよい。例えば、識別情報がＣ１のデータは、固定窓は毎日０時から１時で、この間において調相設備１Ａ、１Ｂ…を固定して制御せず、発電機２Ａ、２Ｂ…が制御されることを示す。固定窓生成条件データ２０５では、操作コストが高い設備は、固定窓の期間内で操作不可となり（操作量が固定され）、操作コストが低い設備は、固定窓の期間内でも操作量可能に設定される。
【００５４】
固定窓生成条件データ２０５に含まれる固定窓の開始時刻Ｄ５０２及び固定窓の終了時刻Ｄ５０３は、電力予測データ２０６に示す将来の総需要が系統運用者により予め定められた一定の変動幅におさまる期間を算出して自動に設定するとよい。総需要が一定の変動幅におさまっていれば、操作コストが低い設備による最適化で十分な系統運用指標改善効果が見込まれるからである。
【００５５】
系統運用者により予め定められた一定の変動幅におさまる期間とは、図１０に示すように、定められた変動幅で区切った範囲内に電力総需要がおさまる時間範囲であり、電力総需要の変動の状態によって、この期間の長さが変わる。つまり、時間窓の開始時刻の総電力需要から所定の変動幅だけ総電力需要が変化した時刻で当該時間窓の期間が終了する。例えば、図１０に示す例において、時間窓２では、総電力需要の変動が時間窓１や３より大きいので、時間窓２の期間は短くなる。一方、時間窓３では、総電力需要の変動が時間窓２や４より小さいので、時間窓３の期間は長くなる。
【００５６】
図１１は、本実施例における固定窓データ２０３の一例を示す図である。
【００５７】
固定窓データ２０３は、データを識別可能な識別情報Ｄ６０１、対応する固定窓生成条件データの識別情報Ｄ６０２、この固定窓データが有効となる開始日時Ｄ６０３及び終了日時Ｄ６０４、及び固定窓内で固定する設備の操作量Ｄ６０５〜Ｄ６０８の情報を含む。操作量Ｄ６０５〜Ｄ６０８は、固定窓の時間内において電気機器６が固定的に操作される操作量であり、固定窓生成条件データ２０５で操作不可と設定された設備について設定される。操作量Ｄ６０５〜Ｄ６０８は、遮断器、開閉器など他の機器について定めてもよい。
【００５８】
図１２は、電力系統３を所定の状態にするための系統制御データ２０４の一例を示す図である。
【００５９】
系統制御データ２０４は、データを識別可能な識別情報Ｄ７０１、当該データの生成日時Ｄ７０２、及び制御対象の設備の設定値Ｄ７０３〜Ｄ７０６の情報を含む。設定値Ｄ７０３〜Ｄ７０６は、電気機器６が制御される設定値であり、調相設備、発電機以外の機器（遮断器、開閉器など、）について定めてもよい。
【００６０】
図１３は、固定窓生成条件表示画面の例を示す図である。
【００６１】
固定窓生成条件表示画面は、メニュー画面から呼び出され、固定窓生成条件データ２０５の内容を表示する。固定窓生成条件表示画面で表示される固定窓生成条件データ２０５の内容は、図９で説明したものと同じであるため、詳細の説明は省略する。また、固定窓生成条件表示画面では、固定窓生成条件データ２０５の一部を表示しても、固定窓生成条件データ２０５に含まれないデータを併せて表示してもよい。
【００６２】
固定窓生成条件表示画面は、固定窓生成条件（各設備毎の操作可否）を変更するための［変更］ボタンや、固定窓生成条件表示画面を閉じて、呼出元のメニュー画面に戻るための［戻る］ボタンを含んでもよい。
【００６３】
固定窓生成条件表示画面は、系統制御装置２である情報処理装置（コンピュータ）や、系統制御装置２に接続される端末の表示画面に表示される。系統制御システム１の利用者は、固定窓生成条件表示画面を用いて、各設備毎の操作可否を固定窓（時間帯）ごとに設定できる。
【００６４】
図１４は、固定窓データ表示画面の例を示す図である。
【００６５】
固定窓データ表示画面は、メニュー画面から呼び出され、固定窓データ２０３の内容を表示する。固定窓データ表示画面で表示される固定窓データ２０３の内容は、図１１で説明したものと同じであるため、詳細の説明は省略する。また、固定窓データ表示画面では、固定窓データ２０３の一部を表示しても、固定窓データ２０３に含まれないデータを併せて表示してもよい。
【００６６】
固定窓データ表示画面は、固定窓生成条件（操作不可の設備の設定値）を変更するための［変更］ボタンや、固定窓データ表示画面を閉じて、呼出元のメニュー画面に戻るための［戻る］ボタンを含んでもよい。
【００６７】
固定窓データ表示画面は、系統制御装置２である情報処理装置（コンピュータ）や、系統制御装置２に接続される端末の表示画面に表示される。系統制御システム１の利用者は、固定窓生成条件表示画面を用いて、各設備毎の操作可否を固定窓（時間帯）ごとに設定できる。
【００６８】
以上に説明したように、本発明の実施例の系統制御装置２は、電力系統３を構成する少なくとも一つの電気機器に適用される設定状態と、当該設定状態が適用される期間の指定とを含む固定窓データ２０３を生成する固定窓データ生成部１０３と、固定窓データ２０３で指定された期間において、第１の電気機器には前記設定状態を適用し、他の第２の電気機器の動作状態を制御することによって、電力系統３の電力潮流を制御する実行部１０４とを備え、固定窓データ生成部１０３は、電力需要の変動に応じて、固定窓データ２０３で指定される期間を定めるので、操作コストが低い設備のみの最適化で十分な系統運用指標改善効果が見込まれる期間である固定窓を設定し、固定窓では、操作コストが高い設備の操作量を固定した条件で最適化演算した結果により制御することで、操作コストが大きい設備の操作回数を抑制しつつ、最適化による系統運用指標（例えば、送電ロス）を改善し、系統運用指標の改善と操作コスト低減を両立できる。
【００６９】
また、電力系統３の最適状態を演算する最適演算部３０を備え、固定窓データ生成部１０３は、固定窓データ２０３を生成するタイミングで、電力系統３の最適状態を実現する第１の電気機器の設定状態を最適演算部３０から取得し、実行部１０４は、固定窓データ２０３を用いた制御中において、電力系統３の最適状態を実現する第２の電気機器の設定状態を最適演算部３０から取得するので、より現実に合致する最適化が可能となる。
【００７０】
また、固定窓データ２０３で指定された期間における電気機器の各々の制御可否に関する情報を含む固定窓生成条件データ２０５を保持し、固定窓データ生成部１０３は、固定窓生成条件データから固定窓データ２０３を生成するので、様々な条件（例えば、時間幅）を変更可能となり、柔軟な制御が可能となる。
【００７１】
また、固定窓データ生成部１０３は、固定窓データ２０３で指定された期間の開始前に固定窓データ２０３を生成するので、固定窓データ２０３が繰り返し生成されて、状況に適合した制御が可能となる。
【００７２】
また、電力系統３の最適状態を演算する最適演算部３０を備え、固定窓データ生成部１０３は、最新の電力系統の状態の計測結果を用いて演算された、第１の電気機器の設定状態を最適演算部３０から取得し、実行部１０４は、最新の電力系統の状態の計測結果を用いて演算された、第２の電気機器の設定状態を最適演算部３０から取得するので、直近のデータを使って、状況に適合した制御が可能となる。
【００７３】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００７４】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【００７５】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【００７６】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【００７７】
１  系統制御システム
２  系統制御装置
３  電力系統
４  通信ネットワーク
５  計測機器
６  電気機器
１０  制御部
２０  記録部
３０  最適演算部
４０  通信部
５０  入力部
６０  出力部
１０１  系統状態取得部
１０２  系統制御生成部
１０３  固定窓データ生成部
１０４  実行部
２０１  系統状態データ
２０２  系統構成データ
２０３  固定窓データ
２０４  系統制御データ
２０５  固定窓生成条件データ
２１１  環境状態データ
２１２  機器設定データ
２１３  機器状態データ
【図１】
2020025415.tif 000003
【図２】
2020025415.tif 000004
【図３】
2020025415.tif 000005
【図４】
2020025415.tif 000006
【図５】
2020025415.tif 000007
【図６】
2020025415.tif 000008
【図７】
2020025415.tif 000009
【図８】
2020025415.tif 000010
【図９】
2020025415.tif 000011
【図１０】
2020025415.tif 000012
【図１１】
2020025415.tif 000013
【図１２】
2020025415.tif 000014
【図１３】
2020025415.tif 000015
【図１４】
2020025415.tif 000016